(57)【要約】【課題】比較的少ない材料で短時間のうちに容易に構築することができ、施工の省力化を図ることができ、施工後の床面沈下や床鳴りが発生しない、床面支持構造を提供する。【解決手段】鉄筋コンクリート製のスラブ床面１０ａに沿って水平状態に固定された四角柱形状をした長尺の土台材１と、この土台材１の上面１ａに一定間隔を置いて起立状態で配列された四角柱形状の複数の束材２と、これらの複数の束材２の上端面２ａに水平方向に掛け渡して固定された四角柱形状をした長尺の支持部材３とによって構築された床面支持構造である。支持部材３の上面にパーチクルボード製の床面材４が敷設され、支持部材３の真上に位置する床面材４の境界部分に沿って四角柱形状をした長尺の上部土台材５が取り付けられ、この上部土台材５の上面に複数の間柱６が一定間隔ごとに立設されている。【選択図】        図２
2004332448.tif 000002
【特許請求の範囲】
【請求項１】
スラブ床面に沿って水平状態に固定された土台材と、前記土台材上に間隔を置いて起立状態で配列された複数の束材と、複数の前記束材の上端部に水平方向に掛け渡して固定された支持部材とを備えたことを特徴とする床面支持構造。
【請求項２】
前記スラブ床面と前記土台材との間、前記土台材と前記束材との間、前記束材と前記支持部材との間のいずれか１カ所以上に、弾性を有する緩衝材を介在させた請求項１記載の床面支持構造。
【請求項３】
前記緩衝材としてゴム系板材を用いた請求項２記載の床面支持構造。
【請求項４】
スラブ床面に沿って土台材を固定する工程と、前記土台材上に距離を隔てて複数の束材を起立状態に配列する工程と、複数の前記束材の上端部の高さを一定に揃えるための束材加工工程と、一定高さに揃えられた複数の前記束材の上端部に支持部材を水平方向に掛け渡して固定する工程と、を含むことを特徴とする床面支持構造構築方法。
【請求項５】
前記束材加工工程が、複数の前記束材を前記土台材上に間隔を置いて配列し、少なくとも両端に位置する前記束材を前記土台材に仮固定する工程と、前記束材の配列方向に張設した墨糸で複数の前記束材の切断予定箇所に墨を打つ工程と、複数の前記束材をそれぞれの墨打ち部で切断する工程とを含む請求項４記載の床面支持構造構築方法。
【発明の詳細な説明】
【０００１】
【発明の属する技術分野】
本発明は、集合住宅などにおける床面支持構造に関する。
【０００２】
【従来の技術】
集合住宅などにおける置き床の床面支持構造としては、従来、間仕切先行方式や床先行方式がある。間仕切先行方式の床面支持構造としては、例えば、図６，図７に示すようなものがある。この床面支持構造は、鉄筋コンクリート製のスラブ床面６０ａ上に固定された土台材６１と、土台材６１の上に立設された間柱６２と、土台材６１の両側面に沿ってスラブ床面６０ａ上に一定間隔ごとに配置された複数の束材６３と、これらの束材６３の上端面に水平状態に掛け渡すことによって間柱６２の両側に配置された際根太６４とによって構成され、際根太６４の上面にパーチクルボードなどの床面材６５が敷設されている。
【０００３】
図６に示す間仕切先行方式の床面支持構造は、図８に示すような工程によって構築されている。図８（ａ）に示すように、スラブ床面６０ａ上に水平状態に載置した土台材６１にコンクリート釘６６を打ち込んで固定し、この土台材６１上に間柱６２を立設する。そして、図８（ｂ）に示すように、間柱６２の両側面の所定位置に際根太６４を配置し、釘６７を打ち込んで固定する。次に、図８（ｃ）に示すように、際根太６４の下面とスラブ床面６０ａとの間に束材６３を嵌め込んで釘などを用いて固定する。この後は、図８（ｄ）に示すように、際根太６４の上面に床面材６５を敷設し、釘などを用いて固定する。
【０００４】
一方、床先行方式の床面支持構造としては、例えば、図９，図１０に示すようなものがある。この床面支持構造は、ゴム製の台座７０ａ、アジャスタボルト７０ｂおよび受け部材７０ｃからなるアジャスタ７０をスラブ床面６０ａ上に一定間隔ごとに配置し、これらのアジャスタ７０の受け部材７０ｃ上に床面材６５を敷設することによって構成されている。そして、アジャスタ７０の直上に位置する床面材６５の境界部分に土台材７１が固定され、この土台材７１上に間柱７２が立設されている。アジャスタ７０においては、アジャスタボルト７０ｂを回転させることによって受け部材７０ｃの高さを調節することができる。
【０００５】
そのほか、鉄筋コンクリート製の集合住宅などにおける置き床の床面支持構造として、コンクリート製のスラブ床面と置き床との間での騒音振動の伝搬を防止する機能を備えたものもある（例えば、特許文献１参照。）。
【０００６】
【特許文献１】
特開２００１−３０３７５９号公報（第４−７頁）
【０００７】
【発明が解決しようとする課題】
図７に示す間仕切先行方式の床面支持構造の場合、間柱６２および土台材６１の両側面に際根太６４および複数の束材６３を配置した複雑な構造であるため、施工の際には、木材や釘などの多くの材料と、多くの労力と時間が必要である。また、実際のスラブ床面６０ａは完全水平面とはなっていないため、スラブ床面６０ａと際根太６４との距離は場所によって微妙に異なっている。したがって、スラブ床面と際根太６４との間に束材６３を取り付ける場合、それぞれの取付予定位置ごとに、際根太６４の下面とスラブ床面６０ａとの距離を測定し、その測定値に合致するように際根太６４を１本ずつ切断加工した後、取り付けているのが実状である。このため、束材６３の取付予定位置での採寸作業、切断加工作業および取付作業に多大な労力と時間が費やされている。
【０００８】
また、図１１に示すように、図７に示す床面支持構造を外壁付近に適用した場合、施工現場において発泡断熱材６９をスラブ壁面６０ｂに吹き付ける前に、際根太６４を固定するための受け材６８をスラブ壁面６０ｂに取り付けておく必要がある。このため、施工後のスラブ壁面６０ｂにおいては、受け材６８が存在する部分だけ発泡断熱材６９が欠損した状態となる結果、断熱効果が低下する。
【０００９】
さらに、図１２に示すように、図７に示す床面支持構造に室間の遮音構造を付加する場合、スラブ床面６０ａ上にコンクリート釘６６で固定された土台材６１上に間柱６２を立設し、これらの間柱６２の両側面に石膏ボード５９を固定した後、石膏ボード５９の外面の所定位置に際根太６４を配置し、釘６７を打ち込んで固定する必要がある。すなわち、床面支持構造を構築する工程の途中に、間柱６２の両側面に石膏ボード５９を固定する工程が加わるため、他の作業と輻輳したり、工事が煩雑化したりして、工期の遅延を招くおそれがある。
【００１０】
一方、図１０で示した床先行方式の床面支持構造の場合、受け部材７０ｃの高さを調節することができるアジャスタ７０を用いているため、図７で示した床面支持構造を構築する際の束材６３の加工作業は不要であり、使用材料も低減することができる。しかしながら、施工後、アジャスタ７０を構成するゴム製の台座７０ａが荷重によって徐々に経年変化して、弾力性を失ったり、収縮したりするため、床面が部分的に沈下したり、床鳴りが生じたりすることがある。また、家具などの重量物を置くことの多い間仕切部分においては、このような床面の沈下によって間仕切部材が沈下して、間仕切部材と天井部との境界に隙間が生じることもある。
【００１１】
また、図１３に示すように、図１０に示す床面支持構造を外壁付近に適用した場合、ゴム製の台座７４ａ、アジャスタボルト７４ｂおよび受け部材７４ｃからなるアジャスタ７４が用いられる。この場合、床面支持構造を構築する前に、スラブ壁面６０ｂに発泡断熱材６９を吹き付け、この発泡断熱材６９全体を覆うように石膏ボード７５を貼着する作業を完了させる必要があるため、他の作業と輻輳して、工期の遅延を招くおそれがある。また、アジャスタ７４のゴム製の台座７４ａが、前述したアジャスタ７０の場合と同様、荷重によって徐々に経年変化して、弾力性を失ったり、収縮したりするため、床面が部分的に沈下したり、床鳴りが生じたりすることがある。
【００１２】
さらに、図１４に示すように、図１０に示す床面支持構造に遮音構造を付加した場合、床面材６５の上方においては、土台材７１および間柱７２の両面に石膏ボード７３を貼り付けることによって容易に遮音構造を形成できるが、床面材６５の下方には、アジャスタ７０しか存在しないため、石膏ボードを取り付けるための何らかの部材を設ける必要がある。したがって、新たな資材を必要とするだけでなく、工事の煩雑化による工期の遅延を招きやすい。
【００１３】
一方、特許文献１に記載された床面支持構造は、床面と根太との距離のばらつきが大きい場合、サイズの異なる複数のレベル調整用弾性片を準備して施工位置に合わせて使用したり、施工位置ごとに束材の長さ調整を行ったりする必要があるため、施工が煩雑となる。また、前述のアジャスタ７０，７４と同様、ゴム片とレベル調整用弾性片の経年変化を回避することができないので、施工後、床面が部分的に沈下したり、床鳴りが生じたりすることがある。
【００１４】
本発明が解決しようとする課題は、比較的少ない材料で短時間のうちに容易に構築することができ、施工の省力化を図ることができ、施工後の床面沈下や床鳴りが発生しない、床面支持構造およびその構築方法を提供することにある。
【００１５】
【課題を解決するための手段】
本発明の床面支持構造は、スラブ床面に沿って水平状態に固定された土台材と、この土台材上に間隔を置いて起立状態で配列された複数の束材と、これらの複数の束材の上端部に水平方向に掛け渡して固定された支持部材とを備えたことを特徴とする。
【００１６】
このような構成とすれば、支持部材上に床面材を敷設することが可能となるため従来の際根太が不要となり、複数の束材の下端部を固定すべき水平面は、スラブ床面に沿って水平状態に固定された土台材によって一定に定められるため、それぞれの束材取付位置における採寸作業が不要となる。したがって、比較的少ない材料で短時間のうちに容易に床面保持構造を構築することができ、施工の省力化を図ることができる。
【００１７】
また、スラブ床面に固定された土台材と、この土台材上に配列した複数の束材と、これらの束材の上端部に掛け渡して固定された支持部材とで構成したことにより、床面に加わる荷重は土台材全体で分散して負担することとなるため、部分的に沈下することがなくなり、施工後の床面沈下や床鳴りも発生しない。
【００１８】
ここで、スラブ床面と土台材との間、土台材と束材との間、束材と支持部材との間のいずれか１カ所以上に、弾性を有する緩衝材を介在させた構造とすれば、遮音性、防振性を向上させることができる。
【００１９】
この場合、前記緩衝材としてはゴム系板材が好適であり、特に硬度６０〜７０程度で厚さ１．５ｍｍ程度のゴム系板材が好適である。このようなゴム系板材を用いることにより、遮音性、防振性を大幅に高めることができる。また、スラブ床面と土台材との間にゴム系板材を介在させれば、スラブ床面からの湿気が土台材へ浸透するのを防止することができるため、防腐処理を施す必要がなくなり、耐久性も向上する。
【００２０】
なお、ゴム系板材の板厚が厚くなると遮音機能は高まるが施工後の経年変化による収縮量が増大して床面沈下が生じるおそれがあり、板厚が薄くなると遮音機能や防振機能が低下する傾向があるため、ゴム系板材の板厚は１．５ｍｍ程度が好適である。
【００２１】
次に、本発明の床面支持構造構築方法は、スラブ床面に沿って土台材を固定する工程と、土台材上に距離を隔てて複数の束材を起立状態に配列する工程と、複数の束材の上端部の高さを一定に揃えるための束材加工工程と、一定高さに揃えられた複数の束材の上端部に支持部材を水平方向に掛け渡して固定する工程と、を含むことを特徴とする。このような構成とすることにより、前述した床面支持構造を比較的少ない材料で短時間のうちに容易に構築することができる。
【００２２】
この場合、前記束材加工工程を、複数の束材を土台材上に間隔を置いて配列し、少なくとも両端に位置する束材を土台材に仮固定する工程と、束材の配列方向に張設した墨糸で複数の束材の切断予定箇所に墨を打つ工程と、複数の束材をそれぞれの墨打ち部で切断する工程とによって構成することが望ましい。
【００２３】
このような構成とすれば、複数の束材を一定寸法に加工する工程を大幅に効率化することができるため施工時間をさらに短縮することが可能となる。また、束材の加工精度も向上するため、経年変化の少ない、耐久性に優れた床面保持構造を構築することができる。
【００２４】
【発明の実施の形態】
図１は本発明の実施の形態である床面支持構造を示す側面図、図２は図１におけるＡ―Ａ線断面図、図３は図２に示す床面支持構造の構築方法を示す工程図である。
【００２５】
図１，図２に示すように、本実施形態の床面支持構造は、鉄筋コンクリート製のスラブ床面１０ａに沿って水平状態に固定された四角柱形状をした長尺の土台材１と、この土台材１の上面１ａに一定間隔を置いて起立状態で配列された四角柱形状の複数の束材２と、これらの複数の束材２の上端面２ａに水平方向に掛け渡して固定された四角柱形状をした長尺の支持部材３とを備えている。そして、支持部材３の上面にパーチクルボード製の床面材４が敷設され、支持部材３の真上に位置する床面材４の境界部分に沿って四角柱形状をした長尺の上部土台材５が取り付けられ、この上部土台材５の上面に複数の間柱６が一定間隔ごとに立設されている。
【００２６】
また、スラブ床面１０ａと土台材１との間には、緩衝材として厚さ１．５ｍｍで硬度６０〜７０のゴム系板材７を介在させ、支持部材３の上面と床面材４との間にも同じくゴム系板材７を介在させている。
【００２７】
ここで、図３を参照して、本実施形態の床面支持構造の構築方法について説明する。図３（ａ）に示すように、ゴム系板材７を貼着した面を下に向けて土台材１をスラブ床面１０ａに沿って水平状態に載置し、上面１ａからコンクリート釘８を打ち込むことによって土台材１をスラブ床面１０ａ上に固定する。そして、土台材１の長さに応じて必要な本数の束材用木材２ａを土台材１の上面１ａに起立状態で一定間隔ごとに配列し、土台材１の両端部分に位置する束材用木材２ａを仮固定する。このとき、束材２よりも長い束材用木材２ａを用いる必要があるが、鋸による切断時の切り代および取り付け位置ごとの寸法ばらつきへの対応を考慮して、例えば、１本の束材用木材２ａから１本の束材２をとる場合は束材２の長さの１．１倍〜１．２倍程度の束材用木材２ａを用い、１本の束材用木材２ａから２本の束材２をとる場合は束材２の長さの２．２倍〜２．５倍程度の束材用木材２ａを用いることが望ましい。なお、土台材１の上面１ａにおけるコンクリート釘８を打ち込む位置については、後述する図３（ｂ）に示すように隣り合う束材２の間の位置、あるいは束材２が立設される位置（例えば、立設後の束材２の軸心と概略同一直線をなす位置）とすることができる。
【００２８】
この後、図３（ｂ）に示すように、土台材１の上面１ａから一定距離Ｓの高さにおいて束材用木材１ａの配列方向に張設した墨糸９によって複数の束材用木材１ａの切断予定箇所に墨を打つ。そして、土台材１から取り外した複数の束材用木材２ａをそれぞれの墨打ち部で切断して所定寸法の束材２を形成し、接着剤および釘を用いてそれぞれの束材２を再び土台材１の上面１ａに固定する。これによって、複数の束材２の上端面２ａの高さは一定に揃えられる。
【００２９】
そして、図３（ｃ）に示すように、一定高さに揃えられた複数の束材２の上端面２ａに接着剤を塗布した後、これらの上端面２ａに支持部材３を水平方向に掛け渡し、釘を打ち込んで固定する。この後は、図３（ｄ）に示すように、支持部材３の上面にゴム系板材７を貼着し、その上に床面材４を敷設する。このような工程を経ることにより、図２で示した床面支持構造を構築することができる。
【００３０】
本実施形態の床面支持構造においては、支持部材３上に床面材４を敷設することができるため従来の際根太が不要である。また、複数の束材２の下端部を固定すべき水平面は、スラブ床面１０ａに沿って水平状態に固定された土台材７によって一定に定められるため、それぞれの束材取付位置における採寸作業が不要である。したがって、従来工法よりも少ない材料で短時間のうちに容易に床面保持構造を構築することができ、施工の省力化を図ることができる。
【００３１】
また、スラブ床面１０ａに固定された土台材１と、この土台材１上に配列した複数の束材２と、これらの束材２の上端面２ａに掛け渡して固定された支持部材３とによって構成されている結果、床面材４に加わる荷重は土台材１全体で分散して負担することとなるため、部分的に沈下することがなく、施工後の床面沈下や床鳴りも発生しない。
【００３２】
さらに、スラブ床面１０ａと土台材１との間、支持部材３と床面材４との間にそれぞれゴム系板材７を介在させているため、ゴム系板材７の振動吸収機能により、優れた遮音性および防振性を発揮する。また、スラブ床面１０ａと土台材１との間のゴム系板材７により、スラブ床面１０ａからの湿気が土台材１へ浸透するのを防止することができるため、防腐処理を施す必要がなくなり、耐久性も向上する。
【００３３】
なお、ゴム系板材７は、図２で示した部分のほか、土台材１と束材２の下端部との間と、束材２の上端面２ａと支持部材３との間に介在させることもできる。このような構成とすれば、束材２の上下両端部にゴム系板材７が配置された状態となるため、前述と同様、優れた遮音性および防振性が得られるほか、湿気の上昇を防止することができる。
【００３４】
この場合、図３（ｂ）に示す工程において、土台材１と束材用木材２ａとの間にゴム系板材７を２枚重ねにして介在させた状態で墨糸９による墨打ちを行い、墨打ち部分で切断して形成した束材２の上下両端部にそれぞれゴム系板材７を配置すれば、高さ方向の寸法精度を失うことなく、束材加工作業の効率化を図ることができる。
【００３５】
次に、図４を参照して、図２に示す床面支持構造を外壁付近に適用した場合について説明する。図４（ａ）に示すように、スラブ壁面１０ｂに発泡断熱材１１を吹き付け、発泡断熱材１１を覆うように石膏ボード１３を貼り付けた後、スラブ壁面１０ｂ寄りのスラブ床面１０ａ上に土台材１、束材２および支持部材３を配置することによって前述した床面支持構造を構築することができる。
【００３６】
一方、図４（ｂ）に示すように、スラブ壁面１０ｂに発泡断熱材１１を吹き付けた後、スラブ壁面１０ｂ寄りのスラブ床面１０ａ上に土台材１、束材２および支持部材３を配置することによって前述した床面支持構造を構築し、この後、発泡断熱材１１の床面材４より上方位置に石膏ボード１３を貼り付けることもできる。
【００３７】
このように、図２に示す床面支持構造を外壁付近に適用する場合、スラブ壁面１０ｂの全面に渡って発泡断熱材１１を吹き付けることが可能であるため、発泡断熱材１１の欠損部分が発生せず、断熱機能が阻害されることがない。また、図４（ａ），（ｂ）に示すように、発泡断熱材１１に石膏ボード１３を貼り付ける工程の前後のいずれの段階においても前述の床面支持構造を構築することができるため、作業性が良好であり、施工現場の状況に的確に対応することによって工期遅延を回避することができる。
【００３８】
一般に、スラブ床面１０ａにおけるスラブ壁面１０ｂ寄りの部分は、スラブを構築するコンクリート型枠の構造上、平滑面に仕上げることが困難であり、ざらざらした状態となっているのが実状である。したがって、スラブ壁面１０ｂから離れた位置のスラブ床面１０ａに構築することのできる本実施形態の床面支持構造は、実際の現場での施工に極めて好適である。
【００３９】
次に、図５を参照して、図２に示す床面支持構造に遮音構造を付加した場合について説明する。図５に示すように、本実施形態の床面支持構造を構成する土台材３、束材２および支持部材３の両側面に遮音材１２を取り付けるとともに、上部土台材５および間柱６の両側面に遮音材１２を取り付けることによって比較的容易に遮音構造を構築することができる。この場合、床面材４の下方に位置する土台材３、束材２および支持部材３の両側面にも遮音材１２を取り付けることができるため、優れた遮音効果が得られる。この場合、遮音材１２を取り付けるための新たな部材を床面材４の下方に設ける必要もないので、施工は容易であり、資材の増加を招くこともない。
【００４０】
【発明の効果】
本発明により、以下に示す効果を奏する。
【００４１】
（１）スラブ床面に沿って水平状態に固定された土台材と、この土台材上に間隔を置いて起立状態で配列された複数の束材と、これらの複数の束材の上端部に水平方向に掛け渡して固定された支持部材とを備えたことにより、比較的少ない材料で短時間のうちに容易に構築することが可能となり、施工の省力化を図ることができ、施工後の床面沈下や床鳴りも発生しなくなる。
【００４２】
（２）スラブ床面と土台材との間、土台材と束材との間、束材と支持部材との間のいずれか１カ所以上に、弾性を有する緩衝材を介在させれば、騒音や振動の伝達が抑制され、遮音性、防振性が向上する。
【００４３】
（３）前記緩衝材として、ゴム系板材を用いれば、優れた遮音性および防振性を得ることができるほか、スラブ床面からの湿気の浸透を防止することができるため、防腐処理を施す必要がなくなり、耐久性も向上する。
【００４４】
（４）スラブ床面に沿って土台材を固定する工程と、土台材上に距離を隔てて複数の束材を起立状態に配列する工程と、複数の束材の上端部の高さを一定に揃えるための束材加工工程と、一定高さに揃えられた複数の束材の上端部に支持部材を水平方向に掛け渡して固定する工程と、を含むことにより、前述した床面支持構造を比較的少ない材料で短時間のうちに容易に構築することができる。
【００４５】
（５）前記束材加工工程を、複数の束材を土台材上に間隔を置いて配列し、少なくとも両端に位置する束材を土台材に仮固定する工程と、束材の配列方向に張設した墨糸で複数の束材の切断予定箇所に墨を打つ工程と、複数の束材をそれぞれの墨打ち部で切断する工程とで構成すれば、施工時間をさらに短縮することが可能となり、束材の加工精度も向上し、経年変化が少なく、耐久性に優れた床面保持構造を構築することができる。
【図面の簡単な説明】
【図１】本発明の実施の形態である床面支持構造を示す側面図である。
【図２】図１におけるＡ―Ａ線断面図である。
【図３】図２に示す床面支持構造の構築方法を示す工程図である。
【図４】図２に示す床面支持構造を外壁付近に適用した状態を示す垂直断面図である。
【図５】図２に示す床面支持構造に遮音構造を付加した状態を示す垂直断面図である。
【図６】従来の間仕切先行方式の床面支持構造を示す側面図である。
【図７】図６におけるＸ−Ｘ線断面図である。
【図８】図６に示す床面支持構造の構築方法を示す工程図である。
【図９】従来の床先行方式の床面支持構造を示す側面図である。
【図１０】図９におけるＹ−Ｙ線断面図である。
【図１１】図７に示す床面支持構造を外壁付近に適用した状態を示す垂直断面図である。
【図１２】図７に示す床面支持構造に遮音構造を付加した状態を示す垂直断面図である。
【図１３】図１０に示す床面支持構造を外壁付近に適用した状態を示す垂直断面図である。
【図１４】図１０に示す床面支持構造に遮音構造を付加した状態を示す垂直断面図である。
【符号の説明】
１  土台材
１ａ  上面
２  束材
２ａ  上端面
３  支持部材
４  床面材
５  上部土台材
５ａ  上面
６  間柱
７  ゴム系板材
８  コンクリート釘
９  墨糸
１０ａ  スラブ床面
１０ｂ  スラブ壁面
１１  発泡断熱材
１２  遮音材
１３  石膏ボード
Ｓ  距離
【図１】
2004332448.tif 000003
【図２】
2004332448.tif 000004
【図３】
2004332448.tif 000005
【図４】
2004332448.tif 000006
【図５】
2004332448.tif 000007
【図６】
2004332448.tif 000008
【図７】
2004332448.tif 000009
【図８】
2004332448.tif 000010
【図９】
2004332448.tif 000011
【図１０】
2004332448.tif 000012
【図１１】
2004332448.tif 000013
【図１２】
2004332448.tif 000014
【図１３】
2004332448.tif 000015
【図１４】
2004332448.tif 000016